(57)【要約】【課題】使用方法がわかりやすく、かつ製造コストを下げることができるフィルム蓋用オープナーおよび容器入り炭酸ガス含有食品を提供する。【解決手段】容器１０とフィルム蓋用オープナー２０とを有する。容器１０は円形の開口部１１と、開口部１１の周囲から外側に突出する環状のフランジ１２と、開口部１１を塞ぐフィルム蓋１３とを有し、内部に炭酸ガス含有食品が充填されている。フィルム蓋用オープナー２０は天板２１と、複数の刃２２と、スペーサ２３と、結合部２４とを有する。複数の刃２２は、天板２１の片面に設けられ、開口部１１より小さい同一円上に配置されて天板２１から垂直に突出する。スペーサ２３は、天板２１から複数の刃２２より高く突出し、天板２１から切り離し可能に設けられる。結合部２４は、容器１０と着脱可能に天板２１に設けられている。【選択図】図１
0003197264.tif 000002
【実用新案登録請求の範囲】
【請求項１】
容器の開口部を塞ぐフィルム蓋を開くためのフィルム蓋用オープナーであって、
天板と、複数の刃と、スペーサと、結合部とを有し、
前記複数の刃は、前記天板の片面に設けられ、前記開口部より小さい同一円上に配置されて前記天板から垂直に突出し、
前記スペーサは、前記天板から前記複数の刃より高く突出し、前記天板から切り離し可能に設けられ、
前記結合部は、前記容器と着脱可能に前記天板に設けられていることを、
特徴とするフィルム蓋用オープナー。
【請求項２】
前記天板は、前記複数の刃の基部から延びて液を毛細管現象により浸透させる複数の細溝を有することを、
特徴とする請求項１記載のフィルム蓋用オープナー。
【請求項３】
前記容器は円形の開口部と、前記開口部の周囲から外側に突出する環状のフランジと、前記開口部を塞ぐフィルム蓋とを有し、
前記結合部は、前記フランジを包囲して前記フランジに沿って回転可能な円筒側面状をなし、前記天板から前記スペーサより高く突出するよう設けられ、前記スペーサを前記フィルム蓋から所定の間隔離した状態で前記フランジと着脱可能な嵌合部を有することを、
特徴とする請求項１または２記載のフィルム蓋用オープナー。
【請求項４】
容器と、請求項１，２または３記載のフィルム蓋用オープナーとを有し、
前記容器は円形の開口部と、前記開口部の周囲から外側に突出する環状のフランジと、前記開口部を塞ぐフィルム蓋とを有し、内部に炭酸ガス含有食品が充填されていることを、
特徴とする容器入り炭酸ガス含有食品。
【考案の詳細な説明】
【技術分野】
【０００１】
本考案は、フィルム蓋用オープナーおよびフィルム蓋用オープナーを有する容器入り炭酸ガス含有食品に関する。
【背景技術】
【０００２】
従来、容器のフィルム蓋を開くためのフィルム蓋用オープナーとして、波状刃をフィルム蓋に突き刺し、回転させることによって、波状刃でフィルム蓋を円形に切断し、開封するものが知られている（例えば、特許文献１参照）。
【先行技術文献】
【特許文献】
【０００３】
【特許文献１】特開２０１０−０３０６２０号公報
【考案の概要】
【考案が解決しようとする課題】
【０００４】
しかしながら、特許文献１に記載のフィルム蓋用オープナーは、流通時には波状刃を上向きにしてオーバーキャップに取り付けられており、開封時にオーバーキャップから取り外して波状刃を下向きにして使用するようになっている。このため、使用方法がわかりにくいという課題があった。また、部品の組み立てや管理などの製造コストがかかるという課題があった。
【０００５】
本考案は、このような課題に着目してなされたもので、使用方法がわかりやすく、かつ製造コストを下げることができるフィルム蓋用オープナーおよび容器入り炭酸ガス含有食品を提供することを目的とする。
【課題を解決するための手段】
【０００６】
上記目的を達成するために、本考案に係るフィルム蓋用オープナーは、容器の開口部を塞ぐフィルム蓋を開くためのフィルム蓋用オープナーであって、天板と、複数の刃と、スペーサと、結合部とを有し、前記複数の刃は、前記天板の片面に設けられ、前記開口部より小さい同一円上に配置されて前記天板から垂直に突出し、前記スペーサは、前記天板から前記複数の刃より高く突出し、前記天板から切り離し可能に設けられ、前記結合部は、前記容器と着脱可能に前記天板に設けられていることを、特徴とする。
天板は蓋底から成ることが好ましい。複数の刃は、同一円上に等間隔で配置されることが好ましい。複数の刃は、５本以上が好ましい。結合部は、円筒側面状であっても、フレーム状であってもよい。
【０００７】
本考案に係るフィルム蓋用オープナーは、流通時は結合部で容器に取り付けておく。使用時はスペーサを天板から切り離し、複数の刃を容器のフィルム蓋に押し当てながら左右に回転させてフィルム蓋を切り開ける。フィルム蓋が十分に切り開かれたならば、複数の刃を容器から離し、フィルム蓋を容器の開口部から切り離す。このように、スペーサを天板から切り離すことにより、複数の刃をフィルム蓋に押し当て可能な状態となるので、使用方法がわかりやすい。また、天板と複数の刃とスペーサと結合部とを一体的に形成することができ、これにより部品の組み立てや管理などの必要をなくして、製造コストを下げることができる。
【０００８】
本考案に係るフィルム蓋用オープナーにおいて、前記天板は、前記複数の刃の基部から延びて液を毛細管現象により浸透させる複数の細溝を有することが好ましい。
この場合、容器に液状のものが密封されているとき、複数の刃で容器のフィルム蓋を切り開いた際に容器から液が飛び出したとしても、飛び出した液は複数の細溝に毛細管現象により浸透するため、周囲に飛び散りにくく、こぼれにくくなっている。複数の細溝は、刃の基部から直線状に延びていても、網の目状に延びていてもよい。
【０００９】
本考案に係るフィルム蓋用オープナーにおいて、前記容器は円形の開口部と、前記開口部の周囲から外側に突出する環状のフランジと、前記開口部を塞ぐフィルム蓋とを有し、前記結合部は、前記フランジを包囲して前記フランジに沿って回転可能な円筒側面状をなし、前記天板から前記スペーサより高く突出するよう設けられ、前記スペーサを前記フィルム蓋から所定の間隔離した状態で前記フランジと着脱可能な嵌合部を有することが好ましい。
【００１０】
この場合、嵌合部をフランジと嵌合させた状態で容器に取り付け、天板および結合部によりフィルム蓋を保護した状態で流通させることができる。流通時に容器内が膨張してフィルム蓋が膨らんだとしても、スペーサがフィルム蓋から所定の間隔離れているため、フィルム蓋がスペーサに押されて破れるのを防ぐことができる。開封時には、スペーサを天板から切り離し、嵌合部が容器のフランジと嵌合した状態から結合部をフランジに深く被せれば、複数の刃を容器のフィルム蓋に押し当てることができる。
【００１１】
本考案に係る容器入り炭酸ガス含有食品は、容器と、前述のフィルム蓋用オープナーとを有し、前記容器は円形の開口部と、前記開口部の周囲から外側に突出する環状のフランジと、前記開口部を塞ぐフィルム蓋とを有し、内部に炭酸ガス含有食品が充填されていることを、特徴とする。
【００１２】
本考案に係る容器入り炭酸ガス含有食品は、前述のフィルム蓋用オープナーを有するため、開封が容易で、また、開封方法がわかりやすい。さらに、フィルム蓋用オープナーの製造コストを下げることにより、全体の製造コストを下げることができる。炭酸ガス含有食品は、例えば、炭酸ガスを含有させたゼリー状食品であり、内部にみかんなどのくだものが含まれていてもよい。
【考案の効果】
【００１３】
本考案によれば、使用方法がわかりやすく、かつ製造コストを下げることができるフィルム蓋用オープナーおよび容器入り炭酸ガス含有食品を提供することができる。
【図面の簡単な説明】
【００１４】
【図１】本考案の実施の形態の容器入り炭酸ガス含有食品を示す説明縦断端面図である。
【図２】図１に示す容器入り炭酸ガス含有食品のフィルム蓋用オープナーの底面図である。
【図３】図１に示す容器入り炭酸ガス含有食品の開封状態の説明縦断端面図である。
【考案を実施するための形態】
【００１５】
以下、図面に基づき本考案の実施の形態について説明する。
図１は、本考案の実施の形態の容器入り炭酸ガス含有食品を示している。
図１に示すように、本考案の実施の形態の容器入り炭酸ガス含有食品は、容器１０と、フィルム蓋用オープナー２０とを有している。
【００１６】
容器１０は、プラスチック製で、円形の開口部１１と、環状のフランジ１２と、フィルム蓋１３とを有する。フランジ１２は、開口部１１の周囲から外側に突出している。フィルム蓋１３は、開口部１１と同じ大きさの円形のプラスチックフィルムから成り、開口部１１を塞ぐようフランジ１２に溶着されている。容器１０の内部には、炭酸ガス含有食品が充填されている。炭酸ガス含有食品は、内部にみかんなどのくだものを含み、炭酸ガスを含有させたゼリー状食品から成る。
【００１７】
図２に示すように、フィルム蓋用オープナー２０は、プラスチック製で、天板２１と、複数の刃２２と、スペーサ２３と、結合部２４とを一体的に有する。
天板２１は、フランジ１２の外周とほぼ同じ大きさの円形板から成る。複数の刃２２は、天板２１の片面に設けられ、開口部１１の内周と中心が同一で開口部１１よりやや小さい同一円上に配置されて、天板２１から垂直に突出している。図２では、複数の刃２２が２４本の例を示すが、それ以下でもそれを超える本数であってもよい。複数の刃２２は、先端がやすり状で、先端をフィルム蓋１３に押し当てながら擦ることによりフィルム蓋１３を切り開くことができる。
【００１８】
スペーサ２３は、天板２１の、環状に配置された複数の刃２２の内側に設けられている。スペーサ２３は、円筒側面を縦方向に４つに分割し、対向する２つの部分を取り除いた形状を有し、天板２１から複数の刃２２より高く垂直に突出している。天板２１のスペーサ２３が設けられた内側部分２１ａとその周囲部分２１ｂとの間には、円形のミシン目状の切込み２５が形成されている。天板２１の周囲部分２１ｂに対し、内側部分２１ａを押してミシン目の接続部２６を切断することにより、スペーサ２３を内側部分２１ａごと天板２１から切り離すことができる。切り離したスペーサ２３および内側部分２１ａは、スペーサ２３を上側にして、容器１０の内部のゼリー状食品を食べるためのスプーン置きとして利用することができる。
【００１９】
天板２１は、複数の刃２２の基部から延びて液を毛細管現象により浸透させる複数の細溝２７を有している。複数の細溝２７は、それぞれ等間隔で配置され、天板２１のミシン目状の切込み２５から複数の刃２２を挟んで外周まで放射状に延びている。
【００２０】
結合部２４は、フランジ１２を包囲してフランジ１２に沿って回転可能な円筒側面状をなしている。結合部２４は、天板２１の外周からスペーサ２３より高く垂直に突出するよう設けられている。図１に示すように、結合部２４は、縁部付近の内周に、スペーサ２３をフィルム蓋１３から所定の間隔離した状態でフランジ１２と着脱可能な嵌合部２８を有している。嵌合部２８は、結合部２４の高さ方向にフランジ１２の厚さ分の間隔離れて配置された２つの突起を１組として、結合部２４の内周に等間隔で複数組（一例で８組）設けられている。スペーサ２３とフィルム蓋１３との所定の間隔は、流通時の容器１０内の膨張を考慮して設定される。
【００２１】
容器入り炭酸ガス含有食品は、製造時にフィルム蓋用オープナー２０が、嵌合部２８をフランジ１２に嵌合させ、容器１０に取り付けられて流通される。このため、天板２１および結合部２４によりフィルム蓋１３を保護した状態で流通させることができる。このとき、流通時に容器１０内が膨張してフィルム蓋１３が膨らんだとしても、スペーサ２３がフィルム蓋１３から所定の間隔離れているため、フィルム蓋１３がスペーサ２３に押されて破れるのを防ぐことができる。
【００２２】
開封時はスペーサ２３を天板２１から切り離し、嵌合部２８が容器１０のフランジ１２と嵌合した状態から結合部２４をフランジ１２に深く被せれば、複数の刃２２を容器１０のフィルム蓋１３に押し当てることができる。この状態で、複数の刃２２を容器１０のフィルム蓋１３に押し当てながら左右に回転させてフィルム蓋１３を切り開ける。容器１０の内部に充填された炭酸ガス含有食品は、表面が液で濡れているため、複数の刃２２で容器１０のフィルム蓋１３を切り開いた際、容器１０から液が飛び出すことがある。しかし、飛び出した液は、複数の細溝２７に毛細管現象により浸透するため、周囲に飛び散りにくく、こぼれにくくなっている。
【００２３】
フィルム蓋１３が十分に切り開かれたならば、複数の刃２２を容器１０から離し、フィルム蓋１３を容器１０の開口部１１から切り離す。こうして、容器１０の内部のゼリー状食品を食べることができる。食べる際には、切り離したスペーサ２３および内側部分２１ａをスプーン置きとして利用してもよい。
【００２４】
このように、スペーサ２３を天板２１から切り離すことにより、複数の刃２２をフィルム蓋１３に押し当て可能な状態となるので、開封が容易で、また、開封方法がわかりやすい。さらに、天板２１と複数の刃２２とスペーサ２３と結合部２４とを一体的に形成することができ、これにより部品の組み立てや管理などの必要をなくして、フィルム蓋用オープナー２０の製造コストを下げ、それに伴い、全体の製造コストを下げることができる。
【符号の説明】
【００２５】
１０  容器
１１  開口部
１２  フランジ
１３  フィルム蓋
２０  フィルム蓋用オープナー
２１  天板
２２  複数の刃
２３  スペーサ
２４  結合部
２５  切込み
２６  接続部
２７  複数の細溝
２８  嵌合部
【図２】
0003197264.tif 000003
【図１】
0003197264.tif 000004
【図３】
0003197264.tif 000005